【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
無線通信システムにおいて、１次セル及び２次セルを含む複数の搬送波集約セルを介した周波数分割２重通信（ＦＤＤ）の方法であって、
端末（ＵＥ）が基地局（ＢＳ）から、前記１次セルの物理下りリンク制御チャネル（ＰＤＣＣＨ）を介して、及び／又は前記２次セルのＰＤＣＣＨを介して制御情報を受信するステップと、
前記ＵＥが前記ＢＳから少なくとも一つの伝送ブロックを受信するステップであって、該少なくとも一つの伝送ブロックは、前記１次セルの物理下りリンク共有チャネル（ＰＤＳＣＨ）を介して受信された一つ又は二つの伝送ブロック、及び／又は前記２次セルのＰＤＳＣＨを介して受信された一つ又は二つの伝送ブロックを有する、ステップと、
前記ＵＥが、所定の物理上りリンク制御チャネル（ＰＵＣＣＨ）フォーマットに用いられる複数のＰＵＣＣＨリソースからＰＵＣＣＨリソースを選択するステップであって、前記の選択されたＰＵＣＣＨリソースは複数のハイブリッド自動再送要求肯定応答（ＨＡＲＱ−ＡＣＫ）に対応し、該複数のＨＡＲＱ−ＡＣＫは前記の受信された少なくとも一つの伝送ブロックに対応する、ステップと、
前記ＵＥが前記ＢＳに、前記選択されたＰＵＣＣＨリソースを介して前記ＨＡＲＱ−ＡＣＫに対応するビット値を送信するステップと、を有し、
前記複数のＨＡＲＱ−ＡＣＫ、前記選択されたＰＵＣＣＨリソース及び前記ビット値は所定の関係を有する、方法。
【請求項２】
前記少なくとも一つの伝送ブロックは、前記１次セルの前記ＰＤＳＣＨを介して受信された第１伝送ブロックを有する、請求項１に記載の方法。
【請求項３】
前記少なくとも一つの伝送ブロックは、前記１次セルの前記ＰＤＳＣＨを介して受信された第２伝送ブロックを有する、請求項２に記載の方法。
【請求項４】
前記少なくとも一つの伝送ブロックは、前記２次セルの前記ＰＤＳＣＨを介して受信された第１伝送ブロックを有する、請求項１に記載の方法。
【請求項５】
少なくとも一つの伝送ブロックが、前記２次セルの前記ＰＤＳＣＨを介して受信された第２伝送ブロックを有する、請求項４に記載の方法。
【請求項６】
前記少なくとも一つの伝送ブロックは、前記２次セルの前記ＰＤＳＣＨを介して受信された第１伝送ブロックを有する、請求項２に記載の方法。
【請求項７】
少なくとも一つの伝送ブロックが、前記２次セルの前記ＰＤＳＣＨを介して受信された第２伝送ブロックを有する、請求項６に記載の方法。
【請求項８】
前記少なくとも一つの伝送ブロックは、前記２次セルの前記ＰＤＳＣＨを介して受信された第１伝送ブロックを有する、請求項１に記載の方法。
【請求項９】
前記少なくとも一つの伝送ブロックが、前記２次セルの前記ＰＤＳＣＨを介して受信された第２伝送ブロックを有する、請求項８に記載の方法。
【請求項１０】
前記所定の関係は表１に示される、請求項１に記載の方法。
（表１）
【表１】
2013543329.tif 000001
ここで、前記複数のＨＡＲＱ−ＡＣＫのＨＡＲＱ−ＡＣＫ(０)及び(１)は、前記１次セルを介して受信された前記一つ又は二つの伝送ブロックの第１及び第２伝送ブロックにそれぞれ対応するＡＣＫ／ＮＡＣＫ／ＤＴＸ応答を表し、前記複数のＨＡＲＱ−ＡＣＫのＨＡＲＱ−ＡＣＫ(２)及び(３)は、前記２次セルを介して受信された前記一つ又は二つの伝送ブロックの第１及び第２伝送ブロックにそれぞれ対応するＡＣＫ／ＮＡＣＫ／ＤＴＸ応答を表し、ｎ（ｌ）ＰＵＣＣＨ、ｉ（ｉ＝０、１、２、３）は、前記複数のＰＵＣＣＨリソースを表し、ｂ(０)ｂ(１)は、前記複数のＨＡＲＱ−ＡＣＫに対応する前記ビット値を表す。
【請求項１１】
前記所定の関係は、表２に示される、請求項１に記載の方法。
（表２）
【表２】
2013543329.tif 000002
ここで、前記複数のＨＡＲＱ−ＡＣＫのＨＡＲＱ−ＡＣＫ(０)及び(１)は、前記１次セルを介して受信された前記一つ又は二つの伝送ブロックの第１及び第２伝送ブロックにそれぞれ対応するＡＣＫ／ＮＡＣＫ／ＤＴＸ応答を表し、前記複数のＨＡＲＱ−ＡＣＫのＨＡＲＱ−ＡＣＫ(２)は、前記２次セルを介して受信された前記一つ又は二つの伝送ブロックの伝送ブロックに対するＡＣＫ／ＮＡＣＫ／ＤＴＸ応答を表し、ｎ（ｌ）ＰＵＣＣＨ、ｉ（ｉ＝０、１、２）は、前記複数のＰＵＣＣＨリソースを表し、ｂ(０)ｂ(１)は、前記複数のＨＡＲＱ−ＡＣＫに対応する前記ビット値を表す。
【請求項１２】
前記所定のＰＵＣＣＨフォーマットはＰＵＣＣＨフォーマット１ｂである、請求項１に記載の方法。
【請求項１３】
ｎ（ｌ）ＰＵＣＣＨ、０及びｎ（ｌ）ＰＵＣＣＨ、１はそれぞれ、前記１次セルの伝送ブロックに対応する物理下りリンク制御チャネル（ＰＤＣＣＨ）を構成する最小制御チャネル要素（ＣＣＥ）インデクス及びその次のＣＣＥインデクスを用いて与えられる、請求項１０に記載の方法。
【請求項１４】
ｎ（ｌ）ＰＵＣＣＨ、２及びｎ（ｌ）ＰＵＣＣＨ、３は、無線リソース制御（ＲＲＣ）層によって設定されたＰＵＣＣＨリソースインデクスを用いて与えられる、請求項１３に記載の方法。
【請求項１５】
無線通信システムにおいて、１次セル及び２次セルを含む複数の搬送波集約セルを介して上りリンク制御情報を送信するように構成された通信装置であって、
無線周波（ＲＦ）ユニットと、
前記ＲＦユニットに接続されたプロセッサと、を備え、前記プロセッサは、
基地局（ＢＳ）から、前記１次セルの物理下りリンク制御チャネル（ＰＤＣＣＨ）を介して、及び／又は前記２次セルのＰＤＣＣＨを介して制御情報を受信し、
前記ＢＳから少なくとも一つの伝送ブロックを受信し、該少なくとも一つの伝送ブロックは、前記１次セルの物理下りリンク共有チャネル（ＰＤＳＣＨ）を介して受信された一つ又は二つの伝送ブロック、及び／又は前記２次セルのＰＤＳＣＨを介して受信された一つ又は二つの伝送ブロックを有し、
所定の物理上りリンク制御チャネル（ＰＵＣＣＨ）フォーマットに用いられる複数のＰＵＣＣＨリソースからＰＵＣＣＨリソースを選択し、前記の選択されたＰＵＣＣＨリソースは複数のハイブリッド自動再送要求肯定応答（ＨＡＲＱ−ＡＣＫ）に対応し、該複数のＨＡＲＱ−ＡＣＫは前記の受信された少なくとも一つの伝送ブロックに対応し、
前記ＢＳに、前記選択されたＰＵＣＣＨリソースを介して前記ＨＡＲＱ−ＡＣＫに対応するビット値を送信する、ように構成され、
前記複数のＨＡＲＱ−ＡＣＫ、前記選択されたＰＵＣＣＨリソース及び前記ビット値は所定の関係を有する、通信装置。
【請求項１６】
前記少なくとも一つの伝送ブロックは、前記１次セルの前記ＰＤＳＣＨを介して受信された第１伝送ブロックを有する、請求項１５に記載の通信装置。
【請求項１７】
前記少なくとも一つの伝送ブロックは、前記１次セルの前記ＰＤＳＣＨを介して受信された第２伝送ブロックを有する、請求項１６に記載の通信装置。
【請求項１８】
前記少なくとも一つの伝送ブロックは、前記２次セルの前記ＰＤＳＣＨを介して受信された第１伝送ブロックを有する、請求項１５に記載の通信装置。
【請求項１９】
少なくとも一つの伝送ブロックが、前記２次セルの前記ＰＤＳＣＨを介して受信された第２伝送ブロックを有する、請求項１８に記載の通信装置。
【請求項２０】
前記少なくとも一つの伝送ブロックは、前記２次セルの前記ＰＤＳＣＨを介して受信された第１伝送ブロックを有する、請求項１６に記載の通信装置。
【請求項２１】
少なくとも一つの伝送ブロックが、前記２次セルの前記ＰＤＳＣＨを介して受信された第２伝送ブロックを有する、請求項２０に記載の通信装置。
【請求項２２】
前記少なくとも一つの伝送ブロックは、前記２次セルの前記ＰＤＳＣＨを介して受信された第１伝送ブロックを有する、請求項１５に記載の通信装置。
【請求項２３】
前記少なくとも一つの伝送ブロックが、前記２次セルの前記ＰＤＳＣＨを介して受信された第２伝送ブロックを有する、請求項２２に記載の通信装置。
【請求項２４】
前記所定の関係は表１に示される、請求項１５に記載の通信装置。
（表１）
【表３】
2013543329.tif 000003
ここで、前記複数のＨＡＲＱ−ＡＣＫのＨＡＲＱ−ＡＣＫ(０)及び(１)は、前記１次セルを介して受信された前記一つ又は二つの伝送ブロックの第１及び第２伝送ブロックにそれぞれ対応するＡＣＫ／ＮＡＣＫ／ＤＴＸ応答を表し、前記複数のＨＡＲＱ−ＡＣＫのＨＡＲＱ−ＡＣＫ(２)及び(３)は、前記２次セルを介して受信された前記一つ又は二つの伝送ブロックの第１及び第２伝送ブロックにそれぞれ対応するＡＣＫ／ＮＡＣＫ／ＤＴＸ応答を表し、ｎ（ｌ）ＰＵＣＣＨ、ｉ（ｉ＝０、１、２、３）は、前記複数のＰＵＣＣＨリソースを表し、ｂ(０)ｂ(１)は、前記複数のＨＡＲＱ−ＡＣＫに対応する前記ビット値を表す。
【請求項２５】
前記所定の関係は、表２に示される、請求項１５に記載の通信装置。
（表２）
【表４】
2013543329.tif 000004
ここで、前記複数のＨＡＲＱ−ＡＣＫのＨＡＲＱ−ＡＣＫ(０)及び(１)は、前記１次セルを介して受信された前記一つ又は二つの伝送ブロックの第１及び第２伝送ブロックにそれぞれ対応するＡＣＫ／ＮＡＣＫ／ＤＴＸ応答を表し、前記複数のＨＡＲＱ−ＡＣＫのＨＡＲＱ−ＡＣＫ(２)は、前記２次セルを介して受信された前記一つ又は二つの伝送ブロックの伝送ブロックに対するＡＣＫ／ＮＡＣＫ／ＤＴＸ応答を表し、ｎ（ｌ）ＰＵＣＣＨ、ｉ（ｉ＝０、１、２）は、前記複数のＰＵＣＣＨリソースを表し、ｂ(０)ｂ(１)は、前記複数のＨＡＲＱ−ＡＣＫに対応する前記ビット値を表す。
【請求項２６】
前記所定のＰＵＣＣＨフォーマットはＰＵＣＣＨフォーマット１ｂである、請求項１５に記載の通信装置。
【請求項２７】
ｎ（ｌ）ＰＵＣＣＨ、０及びｎ（ｌ）ＰＵＣＣＨ、１はそれぞれ、前記１次セルの伝送ブロックに対応する物理下りリンク制御チャネル（ＰＤＣＣＨ）を構成する最小制御チャネル要素（ＣＣＥ）インデクス及びその次のＣＣＥインデクスを用いて与えられる、請求項２４に記載の通信装置。
【請求項２８】
ｎ（ｌ）ＰＵＣＣＨ、２及びｎ（ｌ）ＰＵＣＣＨ、３は、無線リソース制御（ＲＲＣ）層によって設定されたＰＵＣＣＨリソースインデクスを用いて与えられる、請求項２７に記載の通信装置。